(57)【要約】【課題】雨天を正確に判断して雨天撮影モードに自動設定することのできるカメラ付き携帯電話機を提供する。【解決手段】カメラ付き携帯電話機は、カメラ部２３と、外部から加わる圧力の大きさに応じて接点抵抗値が変化する感圧接点が同一面内に複数配置された圧力センサ１４と、圧力センサ１４の各感圧接点における抵抗値の変化に基づいて雨天か否かを判断する制御部２０と、を有する。制御部２０は、雨天と判断した場合は、カメラ部２３の撮影モードを雨天撮影モードに設定する。【選択図】図２
2008141328.tif 000002
【特許請求の範囲】
【請求項１】
雨天での撮影に用いられる雨天撮影モードと雨天以外の天候での通常撮影に用いられる通常撮影モードとの設定が可能な撮像手段と、
外部から加わる圧力の大きさに応じて接点抵抗値が変化する感圧接点が同一面内に複数配置された圧力センサと、
前記圧力センサの各感圧接点における抵抗値の変化に基づいて雨天か否かを判断する制御部と、を有し、
前記制御部は、雨天である判断した場合は、前記撮像手段の撮影モードを前記雨天撮影モードに設定し、雨天でないと判断した場合は、前記撮像手段の撮影モードを前記通常撮影モードに設定する、ことを特徴とするカメラ付き携帯電話機。
【請求項２】
前記制御部は、前記各感圧接点における抵抗値の変化に基づいて、前記外部から加わる圧力の大きさおよび範囲を測定し、該圧力の大きさが第１の閾値以上である場合は、強雨であると判断し、前記雨天撮影モードとして、撮影された画像データに対して、雨粒の奇跡として画像に写り込んだ領域を該領域に隣接する領域の色で補間する処理を行うモードを設定する、請求項１に記載のカメラ付き携帯電話機。
【請求項３】
前記制御部は、前記各感圧接点における抵抗値の変化に基づいて、前記外部から加わる圧力の大きさおよび範囲を測定し、該圧力の大きさが第１の閾値未満であり、かつ、該圧力の範囲が第２の閾値以上である場合は、小雨であると判断し、前記雨天撮影モードとして、撮影された画像データに対して、前記通常撮影モードよりも彩度が高くなるように補正処理を行うモードを設定する、請求項１に記載のカメラ付き携帯電話機。
【請求項４】
前記制御部は、前記各感圧接点における抵抗値の変化に基づいて、前記外部から加わる圧力の大きさおよび範囲を測定し、該圧力の大きさが第１の閾値未満であり、かつ、該圧力の範囲が第２の閾値未満である場合は、雨天以外の天候であると判断する、請求項１に記載のカメラ付き携帯電話機。
【請求項５】
雨天での撮影に用いられる雨天撮影モードと雨天以外の天候での通常撮影に用いられる通常撮影モードとの設定が可能な撮像手段と外部から加わる圧力の大きさに応じて接点抵抗値が変化する感圧接点が同一面内に複数配置された圧力センサとを備えるカメラ付き携帯電話機において行われる撮影モード設定方法であって、
前記圧力センサの各感圧接点における抵抗値の変化に基づいて雨天か否かを判断するステップと、
雨天と判断した場合は、前記撮像手段の撮影モードを前記雨天撮影モードに設定するステップと、
雨天でないと判断した場合は、前記撮像手段の撮影モードを前記通常撮影モードに設定するステップと、を有する撮影モード設定方法。
【発明の詳細な説明】
【技術分野】
【０００１】
本発明は、カメラ付き携帯電話機に関する。
【背景技術】
【０００２】
近年、カメラ機能を搭載した携帯電話機が提供されている。この種のカメラ付き携帯電話機には、ホワイトバランスや画質などパラメータを設定するための設定モードが用意されており、使用者は、撮影環境に応じてパラメータを自由に設定して撮影を行うことができる。しかし、カメラ撮影に不慣れな使用者にとっては、パラメータ設定は煩わしく、不便である。
【０００３】
そこで、撮影環境に応じて、パラメータ設定を自動で行うことのできるカメラ付き携帯電話機が提案されている（特許文献１参照）。このカメラ付き携帯電話機には、時計機能およびＧＰＳ機能が備えられており、これら機能により取得した現在の時刻情報および位置情報に基づいて、気象情報サービスサーバから現在位置に関する気象情報を取得することができる。そして、その気象情報に基づいて天候の判断が行われてパラメータの自動設定が行われる。これにより、例えば、雨天時に、高彩度の画像を得るような処理を自動で行うことができる。
【特許文献１】特開２００４−３３３８３９号公報
【発明の開示】
【発明が解決しようとする課題】
【０００４】
しかしながら、特許文献１に記載のカメラ付き携帯電話機には、以下のような問題がある。
【０００５】
気象情報サービスサーバから提供される気象情報は、現在位置を含む地域全体における気象情報であり、地域のピンポイントにおける気象情報ではない。このため、地域の現在の天候が雨とされた場合であっても、地域の場所によっては、雨が降っていないところがある。このようにピンポイントでの気象情報を提供することができないため、雨が降っていないにも関わらず、雨天と判断して高彩度画像処理が実行される場合がある。
【０００６】
また、気象情報を得るためにＧＰＳ機能を搭載する必要があり、その分、コストが増大する。
【０００７】
さらに、データ通信を利用して気象情報を取得する必要があるため、その通信費が使用者に対して大きな負担となる。
【０００８】
本発明の目的は、上記問題を解決し、雨天を正確に判断して雨天撮影モードに自動設定することのできるカメラ付き携帯電話機を提供することにある。
【課題を解決するための手段】
【０００９】
上記目的を達成するため、本発明のカメラ付き携帯電話機は、雨天での撮影に用いられる雨天撮影モードと雨天以外の天候での通常撮影に用いられる通常撮影モードとの設定が可能な撮像手段と、外部から加わる圧力の大きさに応じて接点抵抗値が変化する感圧接点が同一面内に複数配置された圧力センサと、前記圧力センサの各感圧接点における抵抗値の変化に基づいて雨天か否かを判断する制御部と、を有し、前記制御部は、雨天である判断した場合は、前記撮像手段の撮影モードを前記雨天撮影モードに設定し、雨天でないと判断した場合は、前記撮像手段の撮影モードを前記通常撮影モードに設定することを特徴とする。
【００１０】
上記の構成においては、雨粒が感圧センサに当たると、その雨粒が当たった部分の感圧接点の抵抗値が変化するので、この抵抗値の変化に基づいて雨天かどうかの判断を行うことができる。このような雨粒の有無による雨天判定によれば、ピンポイントでの天候判断を行うことができるので、気象情報提供サービスを利用した天候判断で生じていたような、雨が降っていないにも関わらず、雨天と判断して高彩度画像処理が実行される、といった問題は生じない。また、ＧＰＳ機能や気象情報提供サービスなど利用する必要もない。
【発明の効果】
【００１１】
本発明によれば、雨粒の有無により雨天判定を行うので、気象情報提供サービスを利用した天候判断に比べて、撮影場所の天候が雨天であるか否かの判定を正確に行うことができる。
【００１２】
また、ＧＰＳ機能や気象情報提供サービスを利用する必要がないので、その分、コストを削減することができる。
【発明を実施するための最良の形態】
【００１３】
次に、本発明の実施形態について図面を参照して説明する。
【００１４】
図１は、本発明の一実施形態であるカメラ付き携帯電話機の概観を示す図であって、（ａ）は表示面側から見た模式図、（ｂ）はカメラレンズが設けられた側から見た模式図である。本実施形態のカメラ付き携帯電話機は、防水機能を備えた折り畳み構造のものであって、図１には開いた状態のものが示されている。
【００１５】
図１の（ａ）および(ｂ)に示すように、筐体１０は折り畳み構造になっており、開いた状態で、一方の面側に表示部１１およびキー入力部１２が設けられ、他方の面側にカメラレンズ１３および感圧センサ１４が設けられている。
【００１６】
表示部１１は、液晶ディスプレイ（ＬＣＤ）に代表される表示デバイスよりなり、キー入力部１２やカメラレンズ１３を通じて入力される情報など、当該携帯電話機内で取り扱われる各種情報の表示が可能である。キー入力部１２は、携帯電話機を操作するための複数のキーを備える。例えば、カメラ起動や撮影等の操作は、このキー入力部１２を通じて行うことができる。
【００１７】
感圧センサ１４は、外部から加わる圧力、具体的には雨粒が当たることで生じる圧力を検知することが可能なセンサである。感圧センサ１４は、例えば、圧力によって接点抵抗値が変化する感圧接点が同一面内に複数配置された感圧接点シートで構成される。感圧接点は、スペーサを介して２枚の電極シートを対向配置した構造であって、接点部上面に加わる圧力の大きさに応じて接点抵抗値が変化するようになっている。各感圧接点における接点抵抗値の変化を検出することで、感圧センサ１４のセンサ部に加えられた圧力の大きさや分布を検出することができ、これにより、雨の強さや雨量を判断することができる。感圧センサ１４は、各感圧接点における抵抗値を示す信号を出力する。
【００１８】
図２に、本実施形態のカメラ付き携帯電話機の主要な機能を示す。図２に示すように、本実施形態のカメラ付き携帯電話機は、図１に示した構成に加えて、制御部２０、記憶部２１、専用ＬＳＩ２２およびカメラ部２３を有する。図２には、主にカメラ撮影に関連する部分が示されており、携帯電話機能に関連する部分、例えば通信機能などの構成は省略している。
【００１９】
記憶部２１は、ＲＯＭに代表される半導体メモリであって、当該携帯電話機を動作させるのに必要な種々のプログラムやデータを格納する。カメラ部２３は、ＣＣＤやＭＯＳより構成されたデータ転送構造を有する撮像装置であって、図１に示したカメラレンズ１３を通じて撮影が行われる。専用ＬＳＩ２２は、カメラ部２３の動作を制御するものである。これらカメラ部２３および専用ＬＳＩ２２が撮像手段である。
【００２０】
制御部２０は、キー入力部１２からの入力を受け付けて各部の動作を制御する。具体的には、制御部２０は、専用ＬＳＩ２２を介してカメラ部２３の動作を制御したり、カメラ部２３で撮像したデータに対して画像処理を施して記憶部２１に取り込んだり、記憶部２１から必要なデータを読み出して表示部１１に表示したりする。また、制御部２０は、キー入力部１２から雨天自動検出機能を作動させる旨の入力を受け付けると、雨天自動検出処理を実行する。雨天自動検出処理では、感圧センサ１５からの出力に基づいて雨天か否かの判断が行われる。そして、雨天であると判断した場合は、カメラ部２３の撮影モードが雨天モードに自動設定される。雨天以外の場合は、カメラ部２３の撮影モードは通常モードに設定される。
【００２１】
ここで、雨天モードについて簡単に説明する。雨の中の撮影では、雨粒（水滴）等を一緒に撮影することになるため、撮影画像が不鮮明になる。このため、雨天での撮影では、通常撮影時（晴天、曇天などでの撮影時）とは異なる色合いで画像処理することが好ましい。雨天モードは、雨天での撮影に適した処理（コントラストや彩度を雨天の撮影に適した値に変更する処理）を行うモードである。なお、通常モードは、既存の携帯電話機で使用されている、晴天や曇天などでの撮影に適した種々のモードを含み、使用者は、それらモードを自由に設定することができる。
【００２２】
次に、本実施形態のカメラ付き携帯電話機の動作を説明する。雨天時に自動的に撮影モードを雨天モードに変更して、雨天での撮影に適した画像処理を施す撮影モード自動切替制御が行われる以外は、基本的に既存の携帯電話機における動作と同じであるので、ここでは、撮影モード自動切替制御の動作について具体的に説明する。
【００２３】
図３に、制御部２０による撮影モード自動切替制御の一手順を示す。まず、制御部２０は、カメラを起動する旨の指示信号をキー入力部１２から受信したか否かを判断する（ステップＳ１０）。指示信号を受信した場合は、制御部２０は、雨天自動検出機能をオンにする旨の機能設定信号をキー入力部１２から受信したか否かを判断する（ステップＳ１１）。
【００２４】
ステップＳ１１で機能設定信号を受信した場合は、制御部２０は、雨天検出処理を行う。雨天検出処理では、制御部２０は、感圧センサ１４の出力に基づいて、センサ部に加えられた圧力の大きさや分布を調べる。そして、制御部２０は、その圧力の大きさや分布に基づいて雨天であるか否かの判断を行う（ステップＳ１３）。雨天時は、雨粒が感圧センサ１４のセンサ部に当たるので、その圧力の大きさや分布から雨天であるかの判断を行うことができる。また、感圧センサ１４は、図１（ｂ）に示したように、筐体１０のカメラレンズ１３が設けられた面に配置されているので、携帯電話機を持って構えた状態で、雨粒が効果的に感圧センサ１４のセンサ部に当たるようになっている。なお、使用者は、カメラ撮影を行うにあたって、雨粒が感圧センサ１４のセンサ部に当たるように、携帯電話機を雨に向かってかざすことが望ましい。
【００２５】
ステップＳ１３で、雨天でないと判断した場合は、制御部２０は、撮影モードを通常モードに設定し（ステップＳ１４）、雨天であると判断した場合は、制御部２０は、撮影モードを雨天モードに設定する（ステップＳ１５）。ステップＳ１１で機能設定信号を受信しなかった場合は、ステップＳ１４で、撮影モードが通常モードに設定される。
【００２６】
通常モードが設定された場合は、専用ＬＳＩ２２は、カメラ部２３から供給される撮影画像データに対して、晴天や曇天などでの撮影に適した画像処理を施す。雨天モードが設定された場合は、専用ＬＳＩ２２は、カメラ部２３から供給される撮影画像データに対して、雨天での撮影に適した画像処理を施す。
【００２７】
上記撮影モード自動切替制御によれば、感圧センサ１４にて雨粒が当たることによって生じる圧力が検出されることで、雨天か否かの判断を行うので、気象情報提供サービスを利用した天候判断に比べて、雨天であるか否かを正確に判断することができる。
【００２８】
また、ＧＰＳ機能や気象情報提供サービスを利用する必要がないので、その分、コストを削減することができる。
【００２９】
なお、雨の中の撮影では、雨粒（水滴）等を一緒に撮影することになるため、撮影画像が不鮮明になるが、その雨による画像への影響は、雨の降り方によって異なる。例えば、小雨（小降りの雨）での撮影では、撮影画像は全体的に白くぼんやりした画像になり、強雨（大降りの雨）での撮影では、撮影画像全体に雨粒の軌跡が白い線のように写る。このため、小雨時の撮影と強雨時の撮影とでは、異なる画像処理を施すことが望ましい。
【００３０】
以下に、雨の降り方の状態に応じて異なる画像処理を行う場合の動作を具体的に説明する。
【００３１】
まず、制御部２０により行われる感圧センサ１４を用いた雨天検出処理について具体的に説明する。図４に、雨天検出処理の一手順を示す。感圧センサ１４を起動し（ステップＳ１１０）、感圧センサ１４のセンサ部に加えられた圧力の大きさおよび範囲を測定する（ステップＳ１１１、Ｓ１１２）。次に、測定した圧力の大きさが閾値以上であるか否かを判断する（ステップＳ１１３）。圧力の大きさが閾値以上である場合は、強雨であると判断する（ステップＳ１１４）。
【００３２】
圧力の大きさが閾値未満である場合は、圧力の範囲が閾値以上であるか否かを判断する（ステップＳ１１５）。圧力の範囲が閾値以上である場合は、小雨であると判断する（ステップＳ１１６）。圧力の大きさおよび範囲がともに閾値未満となった場合（ステップＳ１１３、Ｓ１１４がともに「Ｎ」）は、雨天以外の天候（晴れ、曇りなどの天候で、ここでは通常の天候と称す）であると判断する（ステップＳ１１７）。ステップＳ１１４、Ｓ１１６、Ｓ１１７のいずれかの判断が行われた後、感圧センサ１４を停止する。
【００３３】
図５は、感圧センサ１４の出力に基づく天候の判定原理を説明するための図である。縦軸は、圧力の大きさを示し、図面に向かって上側ほど圧力が高く、下側ほど圧力が低い。横軸は、圧力が加えられた範囲の大きさを示し、図面に向かって右側ほど範囲が広く、左側ほど範囲が狭い。図５中、右上の領域には、その領域の条件となる測定状態Ａ（雨粒がセンサ部に当たった状態）が模式的に示されている。同様に、左上、右下、左下の領域には、それぞれの領域の条件となる測定状態Ｂ〜Ｄが示されている。測定状態Ａは、大降りの状態を示す。測定状態Ｂは、雨粒の当たる範囲は狭いが、大粒の雨が降っている状態を示す。測定状態Ｃは、小雨の状態を示す。測定状態Ｄは、小粒の雨がわずかに降っている状態を示す。図５において、右上および左上の領域５１は強雨と判断され、右下の領域５２は小雨と判断され、左下の領域５３は雨天以外の天候と判断される。
【００３４】
次に、雨の降り方の状態に応じた撮影モードでの画像処理について説明する。図６に、その画像処理の一手順を示す。
【００３５】
使用者は、天候が雨天以外の場合は、雨天自動検出機能をオフ状態としてカメラ撮影を行う。この場合は、制御部２０は、雨天自動検出機能がオフ状態であると判断して（ステップＳ３０１、「Ｎｏ」）、使用者の入力操作に応じたカメラ撮影制御を専用ＬＳＩ２２に実施させる（ステップＳ３０２）。そして、カメラ部２３から出力された画像データに対して晴天や曇天などでの撮影に適した画像処理を専用ＬＳＩ２２に実施させる（ステップＳ３０３）。
【００３６】
雨天の場合は、使用者は、雨天自動検出機能をオンにしてカメラ撮影を行う。この場合は、制御部２０は、雨天自動検出機能がオン状態であると判断する（ステップＳ３０１、「Ｙｅｓ」）。そして、図４に示した雨天検出処理を実行し（ステップＳ３０４）、通常、小雨、強雨のいずれの状態であるかを判断する（ステップＳ３０５、Ｓ３０６、Ｓ３０７）を行う。
【００３７】
ステップＳ３０５で、通常であると判断した場合は、ステップＳ３０２に移行する。ステップＳ３０６で、小雨と判断した場合は、制御部２０は、使用者の入力操作に応じたカメラ撮影制御を専用ＬＳＩ２２に実施させ（ステップＳ３０８）、カメラ部２３から出力された画像データに対して小雨での撮影に適した画像処理を行う処理を専用ＬＳＩ２２に実施させる（ステップＳ３０９）。ステップＳ３０６で、強雨と判断した場合は、制御部２０は、使用者の入力操作に応じたカメラ撮影制御を専用ＬＳＩ２２に実施させ（ステップＳ３１０）、カメラ部２３から出力された画像データに対して強雨での撮影に適した画像処理を行う処理を専用ＬＳＩ２２に実施させる（ステップＳ３１１）。
【００３８】
ステップＳ３０３、Ｓ３０９、Ｓ３１１のいずれかの処理が実行された後、カメラを停止する。
【００３９】
小雨の中の撮影では、白くぼんやりした画像になるため、ステップＳ３０９で、カメラ部２３から出力された画像データに対して、コントラストやシャープネスが通常の天候における設定値（晴れや曇りの天候で設定される値）よりも高くなるような彩度補正処理を行う。彩度補正処理としては、例えばカメラ部２３から出力される画像データを、Ｙ（輝度）データとＣ（色差）データに分離し、Ｃデータに対して補正を行う方法がある。
【００４０】
他方、強雨の中の撮影では、雨粒が白い線のように写り、背景の色が暗い場合には、その雨粒による白い線が目立つ。このため、ステップＳ３１１で、カメラ部２３から出力された画像データに対して、雨粒による白い線の部分に対する領域を隣接する領域の色（背景の色）で補間する。具体的には、Ｙデータに基づいて画像の各画素の輝度を判断し、輝度がある決められた閾値よりも低い画素を、暗い色の画素と判定する。暗い色の画素の集まった領域を背景領域と判断し、この背景領域において、白い画素があるかどうかを判断する。白い画素がある場合は、その白い画素を、それに隣接する暗い色の画素の色で補間する。これにより、雨粒による白い線が目立つことを抑制する。
【００４１】
以上説明した実施形態のカメラ付き携帯電話機は、本発明の一例であり、その構成および動作は本発明の趣旨を逸脱しない範囲で適宜に適用することができる。
【００４２】
例えば、キー入力部１２での操作に加えて、感圧センサ１４を用いた操作も可能である。この場合は、キー入力部１２からの入力指示に基づいて、制御部２０は、感圧センサ１４による入力操作モードと感圧センサ１４による雨天検出モードのいずれかのモードを設定する。入力操作モードでは、制御部２０は、感圧センサ１４の出力に基づいて、当該携帯電話機の動作を制御する。例えば、使用者が、感圧センサ１４のセンサ部分の右側を押す操作を行った場合は、制御部２０は、その操作に応じてカメラのズーム機能を望遠側に設定し、左側を押す操作を行った場合はカメラのズーム機能を広角側に設定する。この望遠側から広角側または広角側から望遠側へのズーム動作は段階的に行う。
【００４３】
また、感圧センサ１４を用いた雨天自動検出に加えて、キー入力部１２での入力操作を通じて、雨天モードの設定を手動で行うことも可能である。この場合は、制御部２０は、キー入力部１２での入力操作に応じて、図６に示したＳ３０９、Ｓ３１１の各雨天モード処理を実行する。使用者は、例えば、屋根のある場所から雨の降った屋外の撮影を行う場合に、キー入力部１２を通じて、自由に雨天モード（強雨・少雨）を切り替えて撮影することができる。
【００４４】
本発明は、カメラ付き携帯電話機の他、カメラ機能および防水機能を備える携帯電子機器全般に適用することができる。
【図面の簡単な説明】
【００４５】
【図１】本発明の一実施形態であるカメラ付き携帯電話機の概観を示す図であって、（ａ）は表示面側から見た模式図、（ｂ）はカメラレンズが設けられた側から見た模式図である。
【図２】図１に示すカメラ付き携帯電話機の主要な機能を示すブロック図である。
【図３】図２に示す制御部による撮影モード自動切替制御の一手順を示すフローチャートである。
【図４】図２に示す制御部による雨天検出処理の一手順を示すフローチャートである。
【図５】感圧センサの出力に基づく天候判定原理を説明するための図である。
【図６】雨の降り方の状態に応じた画像処理の一手順を示すフローチャートである。
【符号の説明】
【００４６】
１０  筐体
１１  表示部
１２  キー入力部
１３  カメラレンズ
１４  感圧センサ
２０  制御部
２１  記憶部
２２  専用ＬＳＩ
２３  カメラ部
【図１】
2008141328.tif 000003
【図２】
2008141328.tif 000004
【図３】
2008141328.tif 000005
【図４】
2008141328.tif 000006
【図５】
2008141328.tif 000007
【図６】
2008141328.tif 000008